(57)【要約】      （修正有）【課題】容器本体内に化粧材を充填し、塗布具によって化粧をする化粧材塗布具容器であって、ジョイントの下部腔部と容器本体を螺合開閉するネジ機構を設ける一方、ジョイントの上部腔部に棒軸ペンシル又は棒状化粧材繰出容器を連結し、両化粧材を使い勝手の良い容器とする事を目的とする。【解決手段】ジョイント３の上部円筒体外周に、キャップ４との着脱自在な係合部を設けるとともに、キャップ４の回転方向の回動に対しジョイント３とキャップ４が同期に回動する手段を設けた。【選択図】図１
2008104738.tif 000002
【特許請求の範囲】
【請求項１】
容器本体内に化粧材を充填し、この容器本体前部外周に雄ネジを形成するとともに、この雄ネジに螺合開閉するジョイントを構成し、このジョイント下部腔部より棒軸を垂下し、この棒軸の先端に塗布具を固定し、前記容器本体開口孔より塗布具を進退する化粧材塗布具であって、前記ジョイントに上部円筒体を立設し、上部腔部を穿設し、キャップを前記ジョイントの上部円筒体に対し垂直方向に着脱自在とするとともにキャップの円周方向の回動でジョイントが同期に回動し、キャップとジョイントが連結した状態で容器本体より螺合開閉自在とした事を特徴とする化粧材塗布具容器。
【請求項２】
木軸によって保護された芯材を前記木軸を削ることで使用する棒軸ペンシルを、前記ジョイント上部腔部に嵌合した事を特徴とする請求項１記載の化粧材塗布具容器。
【請求項３】
先筒と基筒を回動可能脱落不能に連結し、先端に棒状化粧材保持部を備えた芯チャック部材を摺動自在に内挿し、先筒と基筒の回転操作で前記棒状化粧材保持部に保持された棒状化粧材が、先筒の先端開口孔より進退する棒状化粧材繰出容器を前記ジョイント上部腔部内に基筒部分を内挿可能とし、前記ジョイントと基筒を同期に回動する係合手段を設けた事を特徴とする、請求項１記載の化粧材塗布具容器。
【発明の詳細な説明】
【技術分野】
【０００１】
本発明は、化粧材塗布具容器に関し、塗布具を使用する化粧材に関連するアイライナー、アイブロー、リップライナー等の棒状化粧材を併用して使用する技術に関するものである。
【背景技術】
【０００２】
容器本体内に化粧材を充填し、容器本体前部外周の雄ネジに対し、中継具の下部腔部に雌ネジを設けて螺合開閉可能とするとともに、前記下部腔部より棒状中軸を延設し先端に設けた塗布具が化粧材に塗布されるとともに、中継具の上部腔部に先筒を連結して芯チャック部材を擢動自在に挿入し、繰出機構により芯チャックの先端に嵌着された棒状化粧材を中継具と先筒の回動で繰出可能とした化粧材容器が特許第３６８３１７４号公報に開示されている。
【０００３】
図１と図３にはキャップがないが図４の様に先筒を被うキャップは、中継具２２０の中間段部２９の外周面に突設された環状の凸部２２９によって嵌合する。その為、容器本体２３０と中継具２２０をもって回動しないと塗布具による化粧が出来ない為、キャップ付の化粧材容器は塗布具が使用しずらい構成となっていた。
【特許文献１】特許第３６８３１７４号公報
【発明の開示】
【発明が解決しようとする課題】
【０００４】
本発明は上記問題に鑑みなされたもので、化粧材塗布具容器に棒軸状のペンシル、又は棒状化粧材繰出容器を一体化するとともにキャップを設け、このキャップの使用方法で両方の化粧材を使用しやすくした事を目的とする。
【課題を解決するための手段】
【０００５】
そのため、本発明の化粧材塗布具容器の、第１の発明においては、容器本体内に化粧材を充填し、この容器本体前部外周に雄ネジを形成するとともに、この雄ネジに螺合開閉するジョイントを構成し、このジョイント下部腔部より棒軸を垂下し、この棒軸の先端に塗布具を固定し、前記容器本体開口孔より塗布具を進退する化粧材塗布具であって、前記ジョイントに上部円筒体を立設し、上部腔部を穿設し、キャップを前記ジョイントの上部円筒体に対し垂直方向に着脱自在とするとともにキャップの円周方向の回動でジョイントが同期に回動し、キャップとジョイントが連結した状態で容器本体より螺合開閉自在とした手段を講じたものである。
【０００６】
第２の発明においては、木軸によって保護された芯材を前記木軸を削ることで使用する棒軸ペンシルを、前記ジョイント上部腔部に嵌合させる手段を講じたものである。
【０００７】
第３の発明においては、先筒と基筒を回動可能脱落不能に連結し、先端に棒状化粧材保持部を備えた芯チャック部材を摺動自在に内挿し、先筒と基筒の回転操作で前記棒状化粧材保持部に保持された棒状化粧材が、先筒の先端開口孔より進退する棒状化粧材繰出容器を前記ジョイント上部腔部内に基筒部分を内挿可能とし、前記ジョイントと基筒を同期に回動する係合手段を設ける手段を講じたものである。
【発明を実施するための最良の形態】
【０００８】
本発明を図により詳細に説明する。
【実施例１】
【０００９】
図１の(Ａ)は、本発明の実施例１の化粧材塗布具容器１の縦一部断面図で、(Ｂ)は、キャップ４とジョイント３の嵌合部の拡大断面図である。(Ｃ)は、キャップ４とジョイント３が一体となった摘部４ａと容器本体２の螺合を解除した状態を示す。図２は化粧材塗布具容器１に使用される各部材の詳細を示したもので、(Ｄ)のキャップ４は有底な円筒４０で開口孔４１内径付近にリブ４３と嵌合凹部４２が設けられる。(Ｅ)は木軸のペンシル５を示し、外周を木軸５０によって保護された芯材５１を備え、後部縮径部５２はジョイント３の上部腔部３１に嵌合する。
【００１０】
（Ｆ）ジョイント３は、下部円筒体３０ｂと上部円筒体３０ａより構成され、下部腔部３２と上部腔部３１は仕切部３８で仕切られる。下部腔部３２内径には、容器本体２の上部外径に形成された雄ネジ２２と螺合開閉する螺旋部３３を設け、棒軸６の嵌合固定部６２で固定する為の嵌合凹部３７が設けられる。上部円筒体３０ａの外周には、キャップ４と着脱自在に嵌合する係合突起３５と、キャップ４と回転方向に同期に回動する為の縦リブ３４が形成される。
【００１１】
(Ｇ)棒軸６は、軸方向に嵌合固定部６２と軸部６０より構成され、先端に穿設された腔部６１に塗布具７が固定される。嵌合固定部６２の突部６２ａは、ジョイント３の下部腔部３２内径の嵌合凹部３７に嵌合して棒軸６をジョイント３に固定する。
【００１２】
(Ｈ)容器本体２は有底の筒で構成され、開口孔２１の前部外周には雄ネジ２２が形成され、更に内径に紋りゴム２３が固定される。この容器本体２内には、粉状や液状の化粧材が充填される。
【００１３】
実施例１の化粧材塗布具容器１の使用方法を説明する。
図１の(Ａ)(Ｂ)(Ｃ)に示される様に、化粧材塗布具容器１は容器本体２に充填された粉状や液状の化粧材を、ジョイント３の下部腔部３２より垂下した棒軸６の先端に固着した塗布具７に付着させ使用するとともに、ジョイント３の上部円筒体３０ａに穿設された上部腔部３１に棒軸ペンシル５を嵌着して、アイブローやリップライナー、アイライナーとし、容器本体２内の粉状や液状の化粧材と併用して使用する事を目的としている。
【００１４】
棒軸ペンシル５は、木軸５０によって芯材５１を保護したもので、先端部を削る事で、この芯材５１を使用する。実施例１は木軸５０を芯材５１の保護としたが、プラスチック製や紙製の削れる素材で芯材を保護しても良い。
【００１５】
化粧材塗布具容器１は、キャップ４により棒軸ペンシル５を被い、キャップ４はジョイント３の上部円筒体３０ａの係合突起３５に嵌合凹部４２が嵌合するとともに、リブ４３が縦リブ３４に係合している。
【００１６】
棒軸ペンシル５を使用する場合はキャップ４を軸方向に垂直に抜くと、キャップ４はジョイント３よりはずれ、容器本体２とジョイントが連結した状態で棒軸ペンシル５を使用する事ができる。又、キャップ４を円周方向に回動すると、リブ４３と縦リブ３４の係合でキャップ４とジョイント３が同期に回動し、容器本体２との相互回動で(Ｃ)図の如く、キャップ４とジョイント３が摘部４ａとして容器本体２より螺合開閉し、螺合解除時に塗布具７を使用することができる。
【００１７】
実施例１の化粧材塗布具容器１は、棒軸ペンシル５を使用する場合はキャップ４を垂直方向に容器本体２又はジョイント３を狭持して外せば良く、塗布具７を使用する場合は、キャップ４の円周方向の回動により、キャップ４とジョイント３が連結した状態で容器本体２より螺合解除させる。
【００１８】
摘部４ａが長い為に化粧がしやすく、キャップ４とジョイント３を外す必要もない。
【実施例２】
【００１９】
図３の(Ｉ)(Ｊ)は本発明の実施例２であり、(Ｉ)は化粧材塗布具容器１０１の縦一部断面図を示し、(Ｊ)は実施例１と同様に摘部１０４ａを回動方向に回動し、容器本体２より摘部１０４ａを螺合解除して塗布具７を使用する形態を示す図である。  
【００２０】
化粧材塗布具容器１０１はキャップ４、容器本体２及び棒軸６、塗布具７は実施例１と同様のものである為、同一の符号で説明する。
実施例２の化粧材塗布具容器１０１は、図４の(Ｋ)に示される、棒状化粧材繰出容器１０５をジョイント１０３の上部円筒体１３０ａに穿設された上部腔部１３１に連結している事を特徴とする。
【００２１】
棒状化粧材繰出容器１０５は、先筒１５０と基筒１６０を回動可能脱落不能に連結し、棒状化粧材Ｂを保持する化粧材保持部１７１を備えた、芯チャック部材１７０を擢動自在に内挿し、先筒１５０と基筒１６０の回転操作で棒状化粧材Ｂを先筒１５０の先端開口孔１５１より進退する構造であり、棒状化粧材繰出容器１０５の場合は、先端開口孔１５１とほぼ同寸法で穿設された貫通孔１５３に４つの擢動溝１５２を設け、化粧材保持部１７１は４片の爪片１７２で狭持するとともに、この爪片は前記擢動溝１５２に位置し、爪片１７２に延設される凸片１７６が前記擢動溝に係合して回転止機構を構成し、芯チャック部材１７０の爪片１７２に延説される棒軸１７４外周には、雄ネジ突起１７３がストローク長に突設され、基筒１６０上部に形成された螺旋部１６１に螺合して螺合機構を構成し、繰出機構としている。
【００２２】
ジョイント１０３は実施例１と同様に、上部円筒体１３０ａと下部円筒体１３０ｂより形成され、上部円筒体１３０ａ外周にはキャップ４との着脱嵌合の為の係合突起１３５と、キャップ４とジョイント３を同期に回転方向に回転させる為の縦リブ１３４が設けられる。又、下部腔部１３２は、容器本体２の雄ネジ２２に螺合開閉する為の螺旋部１３３が設けられ、上部腔部１３１には前記棒状化粧材繰出容器１０５の基筒１６０部分を内挿するとともに、嵌合凹部１３１ａが基筒１６０の係合凸部１７５で、上部腔部１３１内に着脱自在に連結される。
【００２３】
棒状化粧材繰出容器１０５は、カートリッジとしてジョイント１０３の上部腔部１３１に連結されるが、嵌合凹部１３１ａと係合凸部１７５を脱落不能に嵌合させて、使い切りの繰出容器としても良い。又、ジョイント１０３の上部腔部１３１内にはローレット１３１ｂを形成し、基筒１６０外周にリブ１６２を設け、ジョイント１０３と基筒１６０が同期に回動する手段としてある。
【００２４】
化粧材塗布具容器１０１の使用方法は、キャップ４を軸方向に垂直に外し、容器本体２又はジョイント１０３を狭持して先筒１５０を回動すると、基筒１６０がジョイント１０３と同期に回動する為、先筒１５０と基筒１６０が相互回動し、繰出機構によって棒状化粧材Ｂが先筒１５０の先端開口孔１５１より進退する事で化粧を可能とする。
又、(Ｊ)の如く摘部１０４ａを容器本体２と回転方向に回動する事で、容器本体２より塗布具７を抜いて、塗布具に塗布した化粧材で化粧する事が可能となる。
【００２５】
本発明は、キャップ４がジョイント３，１０３に対し、垂直方向に着脱自在とするとともに、キャップ４の円周方向の回動でジョイント３，１０３が同期に回動し、キャップ４とジョイント３，１０３が連結した状態で容器本体２より螺合開閉自在とした事を特徴とし、使い勝手の良い化粧材塗布具１及び１０１を提供する事ができる。
【図面の簡単な説明】
【００２６】
【図１】本発明の実施例１である、化粧料塗布具容器１を示す図である。（Ａ）は化粧料塗布具容器１の縦一部断面図、（Ｂ）はキャップ４とジョイント３の嵌合部の拡大断面図、（Ｃ）は摘部４ａと容器本体２との螺合を解除した状態を示す縦一部断面図である。
【図２】化粧材塗布具容器１に使用される各部材の詳細を示したものである。（Ｄ)はキャップ４、（Ｅ）は棒軸ペンシル５、（Ｆ）はジョイント３、（Ｇ）は棒軸６、(Ｈ)は容器本体２を示している。
【図３】本発明の実施例２である、化粧材塗布具容器１０１を示す縦一部断面図である。（Ｉ）は化粧材塗布具容器１０１の縦一部断面図、（Ｊ）は摘部１０４ａと容器本体２との螺合を解除した状態の化粧材塗布具容器１０１の縦一部断面図である。
【図４】図３の各部材を示し、（Ｋ）は棒状化粧材繰出容器１０５、（Ｌ）はジョイント３を示している。
【符号の説明】
【００２７】
Ｂ・・・・棒状化粧材
ａ・・・・連結部
ｂ・・・・連結部
１・・・・化粧料塗布具容器
２・・・・容器本体
３・・・・ジョイント
４・・・・キャップ
４ａ・・・摘部
５・・・・棒軸ペンシル
６・・・・棒軸
７・・・・塗布具
２２・・・雄ネジ
２３・・・絞りゴム
３０ａ・・上部円筒体
３０ｂ・・下部円筒体
３１・・・上部腔部
３２・・・下部腔部
３３・・・螺旋部
３４・・・縦リブ
３５・・・係合突起
３６・・・段部
３７・・・嵌合凹部
３８・・・仕切部
４０・・・円筒
４１・・・開口孔
４２・・・嵌合凹部
４３・・・リブ
５０・・・木軸
５１・・・芯材
５２・・・後部縮径部
６０・・・軸部
６１・・・腔部
６２・・・嵌合固定部
６２ａ・・突部
１０１・・化粧料塗布具容器
１０３・・ジョイント
１０４ａ・摘部
１０５・・棒状化粧材繰出容器
１３０ａ・上部円筒体
１３０ｂ・下部円筒体
１３１・・上部腔部
１３１ａ・嵌合凹部
１３１ｂ・ローレット
１３２・・下部腔部
１３３・・螺旋部
１３４・・縦リブ
１３７・・嵌合凹部
１３５・・係合突起
１５０・・先筒
１５１・・先端開口孔
１５２・・摺動溝
１５３・・貫通孔
１６０・・基筒
１６１・・螺旋部
１６２・・リブ
１７０・・芯チャック部材
１７１・・化粧材保持部
１７２・・爪片
１７４・・棒軸
１７５・・係合凸部
１７６・・凸片
１８０・・係止片
【図１】
2008104738.tif 000003
【図２】
2008104738.tif 000004
【図３】
2008104738.tif 000005
【図４】
2008104738.tif 000006